(57)【特許請求の範囲】
【請求項１】
第１方向に並ぶ一対の接続端子を少なくとも一組備える基台と、
前記基台に対して前記第１方向にスライド可能に案内されるカバー部材であって、前記第１方向に直交する第２方向において前記一対の接続端子を覆うカバー部材と、を備えた端子台であって、
前記カバー部材は、カバー本体と、前記カバー本体から前記第１方向と直交する方向に突出する突出部と、を備え、
前記基台は、前記第１方向の両側のそれぞれにおいて、前記一対の接続端子のうち、前記カバー部材がスライドされた側と反対の側に位置する接続端子を露出できるように、前記突出部に当接することによって前記カバー部材のスライド可能な範囲を制限するストッパを備え、
前記カバー部材は、少なくとも一部に不透明部分を有し、
前記基台は、前記カバー部材が前記第１方向にスライドされることによって前記カバー部材が開放された状態を示すための目印体であって、前記カバー部材が前記一対の接続端子を覆っている状態で前記カバー部材の前記不透明部分によって隠蔽され、前記一対の接続端子のうちの少なくとも一方が露出された状態で露出される目印体を備える、端子台。
【請求項２】
前記突出部は、前記カバー本体から前記第１方向および前記第２方向に直交する第３方向に突出し、
前記基台は、前記カバー部材を前記第１方向にスライド可能に案内するガイド体であって、前記第３方向において前記カバー本体または前記突出部に略当接する第３方向規制面と、前記第２方向において前記カバー本体または前記突出部に略当接する第２方向規制面と、を有するガイド体を備える、請求項１に記載の端子台。
【請求項３】
前記ガイド体は、前記突出部が前記ストッパに当接する位置とは異なる位置において、前記突出部の前記第２方向への移動を許容する開口部を備える、請求項２に記載の端子台。
【請求項４】
前記カバー部材は、透明部分を有する、請求項１に記載の端子台。
【発明の詳細な説明】
【技術分野】
【０００１】
本発明は、第１方向に並ぶ一対の接続端子を少なくとも一組備える基台と、前記基台に対して前記第１方向にスライド可能に案内されるカバー部材であって、前記第１方向に直交する第２方向において前記一対の接続端子を覆うカバー部材と、を備えた端子台に関する。
【背景技術】
【０００２】
従来、幅方向に並ぶ一対の接続端子を長手方向に複数組備える基台と、一対の接続端子を覆うカバー部材であって、基台に対して幅方向にスライド可能に取り付けられたカバー部材と、を備えた端子台が知られている。基台は、長手方向で隣り合う接続端子同士を仕切るセパレータ部材を備える。このセパレータ部材は、上端部に、幅方向に形成された溝部を有する。この溝部内に板状に形成されたカバー部材が挿入されることで、カバー部材が基台に対してスライド自在となっている。溝部の両端部は、両端側に近づくにつれて幅が拡大するように形成されている。また、溝部の上端を形成するセパレータ部材の上端部が、その両端部で下方に延び、一対のストッパ部を形成している。このような構成により、カバー部材を溝部に沿って挿入し、カバー部材の両端が一対のストッパ部に当たるように配置されて、カバー部材が閉じられると、カバー部材の基台からの脱落が防止される。また、閉じられた状態のカバー部材の一端部をストッパ部よりも下方に引き下げると、カバー部材の端面とストッパ部との係合が外れて、カバー部材をスライドさせることが可能となる（特許文献１参照）。
【０００３】
端子と配線の接続または端子からの配線の分離等の作業時には、端子が露出するように、ストッパ部との係合を解除した上で、カバー部材を引き抜くようにスライドさせて、カバー部材が基台から取り外される。また、作業が終了すると、カバー部材を溝部内に挿入してスライドさせて、カバー部材の両端を一対のストッパ部に係合させて、カバー部材が基台に取り付けられる。ところが、カバー部材が基台から取り外されると、取り外されたカバー部材を作業者が紛失したり、取り外されて落下したカバー部材を作業者自身が踏みつけて破損してしまうことなどがあった。
【０００４】
上述の端子台は、カバー部材が基台のセパレータ部材の溝部内に沿ってスライドされて、カバー部材が閉じられた状態、具体的にはカバー部材の両端部がそれぞれセパレータ部材の両側のストッパ部に到達した状態では、カバー部材を基台から脱落不能に支持できる。しかし、閉じられた状態の位置からカバー部材が外されると、カバー部材とストッパ部との係合が外れているため、カバー部材を脱落不能に支持することはできない。そのため、上述の端子台では、カバー部材をスライドさせて端子を露出させる際に、カバー部材が簡単に取り外されてしまう。その結果、上述したように、カバー部材の紛失やカバー部材の破損を招いてしまう。
【先行技術文献】
【特許文献】
【０００５】
【特許文献１】特開２０１４−１５７６７６号公報
【発明の概要】
【発明が解決しようとする課題】
【０００６】
そこで、本発明は、カバー部材をスライドさせて端子を露出させながら、端子が露出した状態ではカバー部材が基台から脱落することを防止できる端子台を提供することを目的とする。
【課題を解決するための手段】
【０００７】
本発明に係る端子台は、第１方向に並ぶ一対の接続端子を少なくとも一組備える基台と、前記基台に対して前記第１方向にスライド可能に案内されるカバー部材であって、前記第１方向に直交する第２方向において前記一対の接続端子を覆うカバー部材と、を備えた端子台であって、前記カバー部材は、カバー本体と、前記カバー本体から前記第１方向と直交する方向に突出する突出部と、を備え、前記基台は、前記第１方向の両側のそれぞれにおいて、前記一対の接続端子のうち、前記カバー部材がスライドされた側と反対の側に位置する接続端子を露出できるように、前記突出部に当接することによって前記カバー部材のスライド可能な範囲を制限するストッパを備え、前記カバー部材は、少なくとも一部に不透明部分を有し、前記基台は、前記カバー部材が前記第１方向にスライドされることによって前記カバー部材が開放された状態を示すための目印体であって、前記カバー部材が前記一対の接続端子を覆っている状態で前記カバー部材の前記不透明部分によって隠蔽され、前記一対の接続端子のうちの少なくとも一方が露出された状態で露出される目印体を備える。
【０００８】
かかる構成によれば、第１方向にスライド可能に案内されるカバー部材が、ストッパにより、スライド可能な範囲を制限される。カバー部材がスライド可能な範囲を超えてスライドできないので、カバー部材が基台から脱落しない。また、このスライド可能な範囲は、カバー部材がスライドされた側と反対の側に位置する接続端子を露出できるようになっている。そのため、本発明に係る端子台は、カバー部材をスライドさせて接続端子を露出させながら、接続端子が露出した状態ではカバー部材が基台から脱落することを防止できる。
また、一対の接続端子のうちの少なくとも一方を露出させようとカバー部材をスライドさせると、目印体が露出される。目印体が露出されていれば、第１方向へのスライドによってカバー部材が開放された状態にあることが、作業者に一目でわかる。したがって、本発明に係る端子台は、カバー部材の閉め忘れを防止するように作業者に注意喚起できる。
【０００９】
前記端子台において、前記突出部は、前記カバー本体から前記第１方向および前記第２方向に直交する第３方向に突出し、前記基台は、前記カバー部材を前記第１方向にスライド可能に案内するガイド体であって、前記第３方向において前記カバー本体または前記突出部に略当接する第３方向規制面と、前記第２方向において前記カバー本体または前記突出部に略当接する第２方向規制面と、を有するガイド体を備えてもよい。
【００１０】
かかる構成によれば、突出部がカバー本体から第３方向に突出するので、第２方向の両側のうちの接続端子から遠い側については、カバー本体に重ならないようにガイド体を配置しても、カバー部材を案内できる。つまり、カバー部材を案内するために、カバー本体を第２方向において覆う必要がない。そのため、本発明に係る端子台は、カバー部材が開放されたときの開口面積がガイド体によって減少させられることを防止できる。
【００１１】
前記端子台において、前記ガイド体は、前記突出部が前記ストッパに当接する位置とは異なる位置において、前記突出部の前記第２方向への移動を許容する開口部を備えてもよい。
【００１２】
かかる構成によれば、カバー部材は、突出部がストッパに当接する位置とは異なる位置において、開口部に突出部を通すことにより第２方向に移動できる。そのため、本発明に係る端子台は、突出部がストッパに当接した状態におけるカバー部材の脱落を防止しながら、基台へのカバー部材の取り付けおよび取り外しを容易に行うことができる。
【００１５】
前記端子台において、前記カバー部材は、透明部分を有してもよい。
【００１６】
かかる構成によれば、カバー部材が一対の接続端子を覆っている状態であっても、作業者は、透明部分を介して接続端子を視認することができる。
【発明の効果】
【００１７】
本発明に係る端子台は、カバー部材をスライドさせて端子を露出させながら、端子が露出した状態ではカバー部材が基台から脱落することを防止できる。
【図面の簡単な説明】
【００１８】
【図１】図１は、本発明の第１実施形態に係る端子台の斜視図である。
【図２】図２は、本発明の第１実施形態に係る端子台の平面図である。
【図３】図３は、本発明の第１実施形態に係る端子台の正面図である。
【図４】図４は、本発明の第１実施形態に係る端子台の側面断面図である。
【図５】図５は、本発明の第１実施形態に係るカバー部材の斜視図である。
【図６】図６は、本発明の第１実施形態に係る端子台の平面一部断面図である。
【図７】図７は、図６のＡ−Ａ断面図である。
【図８】図８は、図６のＢ−Ｂ断面図である。
【図９】図９は、図６のＣ−Ｃ断面図である。
【図１０】図１０は、本発明の第２実施形態に係る端子台の正面断面図である。
【図１１】図１１は、本発明の第３実施形態に係る端子台の斜視図である。
【図１２】図１２は、本発明の第３実施形態に係る端子台の平面図である。
【図１３】図１３は、本発明の第４実施形態に係る端子台の平面一部断面図である。
【図１４】図１４は、本発明の第４実施形態に係る端子台の正面図である。
【発明を実施するための形態】
【００１９】
まず、本発明の第１実施形態に係る端子台１を、図１から図９を参照しながら説明する。なお、以下の各実施形態において同一または対応する部分には同一の参照符号を付しており、これらの部分の構成についての説明は、基本的には繰り返さない。
【００２０】
図１から図４は、端子台１の斜視図、平面図、正面図、および側面図を示す。図１から図４に示されるように、端子台１は、長手方向（第１方向）Ｄ１に並ぶ一対の接続端子２を少なくとも一組備える基台３と、基台３に対して長手方向Ｄ１にスライド可能なカバー部材４とを備える。カバー部材４は、長手方向Ｄ１に直交する上下方向（第２方向）Ｄ２において一対の接続端子２を覆う。本実施形態では、基台３は、長手方向Ｄ１および上下方向Ｄ２に直交する幅方向（第３方向）Ｄ３に沿って配置された４対の接続端子２を備える。
【００２１】
基台３は、長手方向Ｄ１および幅方向Ｄ３に広がる支持板３１と、幅方向Ｄ３に沿って等間隔に配置され支持板３１から上下方向Ｄ２に延びる分離壁３２と、隣り合う２つの分離壁３２を幅方向Ｄ３で連結する連結壁３３とを備える。分離板３２は、幅方向Ｄ３において隣り合う一方の接続端子２の対と他方の接続端子２の対とを分離する。連結壁３３は、長手方向Ｄ１における分離壁３２の中央部に位置し、支持板３１と隣り合う２つの分離壁３２とによって囲まれる空間を、長手方向Ｄ１の一方側および他方側に分離する。なお、連結壁３３は、カバー部材４と接触しないように、支持板３１からの上下方向Ｄ２における突出高さにおいて分離壁３２よりも小さくなっている。
【００２２】
一対の接続端子２のそれぞれは、支持板３１と隣り合う２つの分離壁３２と連結壁３３とによって囲まれる空間内に配置され、支持板３１に固定されている。
【００２３】
カバー部材４の長手方向Ｄ１における長さ（長手寸法）は、支持板３１および分離壁３２の長手方向Ｄ１における長さに等しい。そのため、カバー部材４を基台３に対して長手方向Ｄ１にスライドさせて、上下方向Ｄ２において支持板３１と重複する位置に移動させることで、カバー部材４は、支持板３１および隣り合う２つの分離壁３２によって囲まれる空間を、上下方向Ｄ２において覆うことができる。このようにして、カバー部材４が閉じられる。カバー部材４が閉じられているとき、一対の接続端子２の双方が、カバー部材４によって覆われている。閉じられた状態のカバー部材４が長手方向Ｄ１に少しでもスライドされると、カバーが少なくとも部分的に開放され、支持板３１の少なくとも一部が露出される。
【００２４】
図５から図９を参照して、カバー部材４を基台３に対してスライド自在とする構成を説明する。
【００２５】
図５に示されるように、カバー部材４は、板状に形成されたカバー本体４０と、カバー本体４０から幅方向Ｄ３に突出する突出部４１とを備える。本実施形態では、カバー部材４の長手方向Ｄ１における両端部のそれぞれで、幅方向Ｄ３の両側に１つの突出部４１が配置されており、カバー部材４は、合計で４つの突出部４１を備える。突出部４１は、上下方向Ｄ２における両端面が平面に形成されている。
【００２６】
図６に示されるように、基台３は、カバー部材４を長手方向Ｄ１にスライド可能に案内するガイド体５であって、隣り合う２つの分離壁３２によって構成されたガイド体５を備える。
【００２７】
図７に示されるように、分離壁３２は、支持板３１から遠ざかるように上下方向Ｄ２に沿って位置する４つの部分である、第１部分３４、第２部分３５、第３部分３６、および第４部分３７を有する。第１部分３４は、上下方向Ｄ２において、支持板３１とカバー部材４との間に位置する分離壁３２の部分である。第２部分３５は、上下方向Ｄ２において、第１部分３４と突出部４１との間に位置する分離壁３２の部分である。第４部分３７は、上下方向Ｄ２において、突出部４１と同じ領域に位置する分離壁３２の部分である。第４部分３７は、上下方向Ｄ２において、突出部４１よりも接続端子２（支持板３１）から遠い側に位置する分離壁３２の部分である。本実施形態では、第２部分３５および第４部分３７は、幅方向Ｄ３において同じ寸法を有している。
【００２８】
第１部分３４は、幅方向Ｄ３において第２部分３５よりも接続端子２に近い側（カバー部材４の中央側）に突出している。そのため、第１部分３４の上下方向Ｄ２における端面３４ｂは、カバー本体４０に対向する。第１部分３４の上下方向Ｄ２における端面３４ｂは、カバー部材４の上下方向Ｄ２における接続端子２（支持板３１）に近い側への移動を規制する第２方向規制面として機能する。
【００２９】
図７に示されるように、分離壁３２は、第２部分３５と第４部分３７との間に突出部４１を受け入れるように構成された溝部１０を有する。本実施形態では、分離壁３２は、４つの溝部１０を有し、各溝部１０は、分離壁３２の幅方向Ｄ３の両側において、長手方向Ｄ１の一方側および他方側にそれぞれ配置されている（図６）。
【００３０】
図７に示されるように、溝部１０は、上下方向Ｄ２において第２部分３５および第４部分３７の互いに対向する端面３５ｂ、３７ｂと、幅方向Ｄ３における第３部分３６の端面３６ａとによって形成されている。第２部分３５および第４部分３７の上下方向Ｄ２における端面３５ｂ、３７ｂは、カバー部材４が上下方向Ｄ２に移動しようとする際に突出部４１の上下方向Ｄ２における端面に当接する。そのため、第２部分３５および第４部分３７の互いに対向する端面３５ｂ、３７ｂは、カバー部材４の上下方向Ｄ２への移動を規制する第２方向規制面として機能する。
【００３１】
幅方向Ｄ３において、カバー本体４０の長さ（幅寸法）は、隣り合う２つの分離壁３２の第２部分３５間の距離と、隣り合う２つの分離壁３２の第４部分３７間の距離とに概ね等しい。そのため、カバー本体４０の幅方向Ｄ３における端面は、第２部分３５の幅方向Ｄ３における端面３５ａと、第４部分３７の幅方向Ｄ３における端面３７ａとに略当接する。そのため、第２部分３５および第４部分３７の幅方向Ｄ３における端面３５ａ、３７ａは、カバー部材４の幅方向Ｄ３への移動を規制する第３方向規制面として機能する。なお、第３部分３６の幅方向Ｄ３における端面３６ａは、溝部１０内に挿入された突出部４１と当接しないように、幅方向Ｄ３において突出部４１から離れた位置に配置されている。なお、第３部分３６の幅方向Ｄ３における端面３６ａは、溝部１０内に挿入された突出部４１と当接してもよい。
【００３２】
上述したように、カバー部材４の上下方向Ｄ２への移動は、突出部４１に当接可能な第２部分３５および第４部分３７の互いに対向する端面（第２方向規制面）３５ｂ、３７ｂと、カバー本体４０に当接可能な第１部分３４の端面（第２方向規制面）３４ｂとによって、規制される。カバー部材４の幅方向Ｄ３への移動は、カバー本体４０に当接可能な第２部分３５および第４部分３７の端面（第３方向規制面）３５ａ、３７ａによって、規制される。ガイド体５は、３つの第２方向規制面と、２つの第３方向規制面とを備えるので、カバー部材４を長手方向Ｄ１に沿って案内でき、長手方向Ｄ１に直交する方向へのカバー部材４の移動を規制できる。
【００３３】
図６、図８を参照して、カバー部材４のスライド可能な範囲を制限する構成を説明する。
【００３４】
図６に示されるように、基台３は、分離壁３２の長手方向Ｄ１における中央部に、カバー部材４の突出部４１に当接することによってカバー部材４のスライド可能な範囲を制限するストッパ６を備えている。ストッパ６は、分離壁３２の一部である。ストッパ６は、第３部分３６において幅方向Ｄ３のカバー部材４側に突出する部分である。図８に示されるように、ストッパ６のある位置において、第３部分３６の幅方向Ｄ３における端面は、第２部分３５および第４部分３７の幅方向Ｄ３における端面３５ａ、３７ａと面一となっている。
【００３５】
図６に示されるように、分離壁３２内の２つの溝部１０は、ストッパ６を挟んで、長手方向Ｄ１の一方側および他方側に配置されている。カバー部材４が長手方向Ｄ１の一方側（図６の右側）にスライドされて、長手方向Ｄ１の他方側（図６の左側）に位置する突出部４１がストッパ６に当接した状態では、一対の接続端子２のうち、長手方向Ｄ１の他方側（図６の左側）に配置された接続端子２がカバー部材４から露出される。同様に、カバー部材４が長手方向Ｄ１の他方側にスライドされて、一方側に位置する突出部４１がストッパ６に当接した状態では、一対の接続端子２のうち、長手方向Ｄ１の一方側に配置された接続端子２がカバー部材４から露出される。このように、ストッパ６は、長手方向Ｄ１の両側のそれぞれにおいて、一対の接続端子２のうち、カバー部材４がスライドされた側と反対の側に位置する接続端子２を露出できるように、突出部４１に当接することによってカバー部材４のスライド可能な範囲を制限する。
【００３６】
図６、図９を参照して、カバー部材４の基台３への着脱を可能とする構成を説明する。
【００３７】
図６に示されるように、ガイド体５は、突出部４１がストッパ６に当接する位置Ｐ１とは異なる位置Ｐ２において、突出部４１の上下方向Ｄ２への移動を許容する開口部７を備える。ガイド体５は、幅方向Ｄ３に並ぶ一対の突出部４１に対応して、幅方向Ｄ３に並ぶ一対の開口部７を備える。本実施形態では、長手方向Ｄ１の両側にそれぞれ一対の開口部７が設けられており、ガイド体５は、４つの開口部７を有する。
【００３８】
図９に示されるように、開口部７は、第４部分３７に形成された上下方向Ｄ２の孔である。ここで、カバー本体４０は、ガイド体５によって上下方向Ｄ２における接続端子２（支持板３１）から遠い側への移動を規制されていない。一方、突出部４１は、この突出部４１が上下方向Ｄ２において開口部７と重なる位置にある場合を除いて、ガイド体５によって上下方向Ｄ２における移動を規制されている（図７参照）。そのため、カバー部材４のスライドによって、突出部４１が上下方向Ｄ２において開口部７と重なる位置にあるとき、ガイド体５による突出部４１の規制が外れる。ここで、カバー部材４の幅方向Ｄ３における両側において、一対の突出部４１の位置と開口部７の位置とは対応している。そのため、カバー部材４のスライドによって、幅方向Ｄ３に並ぶ一対の突出部４１の規制は、同時に外れる。また、長手方向Ｄ１の両側に配置された２つの突出部４１のうち、一方の突出部４１が開口部７内に位置するとき、他方の突出部４１は長手方向Ｄ１において基台３よりも外側に位置している。つまり、他方の突出部４１は、ガイド体５の規制から外れている。カバー部材４のスライドによって、突出部４１が開口部７内に位置するとき、長手方向Ｄ１の両側の突出部４１が上下方向Ｄ２においてガイド体５に規制されないので、カバー部材４は、上下方向Ｄ２に移動できる。
【００３９】
次に、図２、図４、図５を参照して、カバーの開放を作業者に注意喚起するための構成を説明する。
【００４０】
図５に示されるように、カバー部材４は、カバー本体４０および突出部４１の他に、カバー本体４０に設けられたマスキング体４２を備える。カバー本体４０は透明部材であり、マスキング体４２は不透明部材である。マスキング体４２は、平面視において四角形の枠形状を有し、カバー本体４０の長手方向Ｄ１における中央部に配置されている。マスキング体４２は、例えば、カバー本体４０の外面に、塗装または蒸着により膜を形成することによって、あるいは、シールまたは板状部材のような、カバー本体４０とは異なる別部品を嵌め込みまたは接着により固定することによって、構成される。
【００４１】
図２、図４に示されるように、基台３の支持板３１は、カバー部材４が長手方向Ｄ１にスライドされることによってカバー部材４が開放された状態を示すための目印体８を備える。本実施形態では、基台３は、支持板３１の長手方向Ｄ１における中央部に配置された４つの目印体８を備える。目印体８も、マスキング体４２と同様に、支持板３１の外面に塗装または蒸着により膜を形成することによって、あるいは、シールまたは板状部材のような、支持板３１とは異なる別部品を嵌め込みまたは接着により固定することによって、構成される。４つの目印体８は、長手方向Ｄ１の両側で幅方向Ｄ３の両側の４個所に、それぞれ配置され、上下方向Ｄ２より見て連結壁３３の４隅に隣接する。
【００４２】
図２に示されるように、カバー部材４が閉じられている場合、上下方向Ｄ２において、マスキング体４２は４つの目印体８の全体と重複する。そのため、４つの目印体８はマスキング体４２によって隠蔽される。また、このとき、カバー本体４０におけるマスキング体４２の非配置領域は、上下方向Ｄ２において、一対の接続端子２と重複する。そのため、一対の接続端子２はカバー本体４０によって覆われる。しかし、非配置領域は透明なので、一対の接続端子２は隠蔽されない。したがって、カバー部材４が閉じられていても、外部から透明なカバー本体４０を介して一対の接続端子２を視認することが可能である。
【００４３】
また、一方の接続端子２が露出するようにカバー部材４が開かれている場合、上下方向Ｄ２において、マスキング体４２は４つの目印体８の全体から外れている。そのため、４つの目印体８はマスキング体４２から露出される。このとき、４つの目印体８は、カバー本体４０におけるマスキング体４２の非配置領域によって覆われているが、非配置領域は透明なので、４つの目印体８は隠蔽されない。そのため、外部から透明なカバー本体４０を介して４つの目印体８を視認することが可能である。これにより、カバーの開放を、作業者に注意喚起することができる。
【００４４】
次に、図１０を参照して、第２実施形態に係る端子台１を説明する。
【００４５】
図１０は、第１実施形態における図７に対応する図である。図１０に示されるように、第２実施形態に係る分離壁３２では、第１部分３４および第２部分３５の幅方向Ｄ３における端面が面一となるように構成されている。そのため、第２実施形態に係る分離壁３２は、カバー本体４０に当接可能な第２方向規制面を有しない。
【００４６】
第２実施形態では、カバー部材４が開かれると、長手方向Ｄ１に並ぶ一対の突出部４１のうち、一方の突出部４１が基台３から外れて、他方の突出部４１のみが基台３に当接する。つまり、カバー部材４が、他方側の一対の突出部４１によって、基台３に片持ち支持される。第２実施形態では、片持ち支持されたカバー部材４が傾くのを防止するために、突出部４１の上下方向Ｄ２における両端面が、第２部分３５および第４部分３７の互いに対向する端面３５ｂ、３７ｂと略接触するように形成されている。つまり、突出部４１の上下方向Ｄ２における両端面間の距離は、互いに対向する端面３５ｂ、３７ｂ間の距離に略等しい。そのため、カバー部材４がスライドされて、カバー部材４が片持ち支持された状態でも、カバー部材４の姿勢が傾斜することなく長手方向Ｄ１に維持される。
【００４７】
次に、図１１、図１２を参照して、第３実施形態に係る端子台１を説明する。
【００４８】
図１１に示されるように、第３実施形態に係るカバー部材４は、全体が不透明部材である。図１２に示されるように、第３実施形態に係る目印体８は、一対の接続端子２のそれぞれにおいて、接続端子２の周辺で支持板３１に設けられている。基台３は、合計で８つの目印体８を備える。そのため、カバー部材４が閉じられている場合、一対の接続端子２および４つの目印体８は、カバー部材４によって隠蔽される。また、一方の接続端子２が露出するようにカバー部材４が開かれている場合、この一方の接続端子２に対応する４つの目印体８もカバー部材４から露出される。
【００４９】
次に、図１３、図１４を参照して、第４実施形態に係る端子台１を説明する。
【００５０】
図１３に示されるように、第４実施形態に係る基台３のガイド体５では、分離壁３２は、長手方向Ｄ１に沿ってガイド体５の両側に開口する溝部１１を有する。そのため、ガイド体５は、幅方向Ｄ３に並ぶ２つの溝部１１を有する。ここで、第１実施形態に係るガイド体５は、カバー部材４のスライド可能な範囲を規制するストッパとして、分離壁３２と一体のストッパ６を有する。これに対して、第４実施形態に係るガイド体５は、カバー部材４のスライド可能な範囲を規制するストッパとして、分離壁３２と別体であって分離壁３２に取り付けられるストッパを有する。第４実施形態に係るガイド体５は、具体的には、このようなストッパの一例として、ネジ９を備える。図１４に示されるように、ネジ９は、溝部１１内を横断するように上下方向Ｄ２に沿って配置され、カバー部材４のスライドによって突出部４１に当接可能である。本実施形態では、長手方向Ｄ１の両側で幅方向Ｄ３の両側にそれぞれネジ９が設けられ、分離壁３２は、４つのネジ９を有する。
【００５１】
ネジ９は、第２部材３５および第４部材３７に形成されたネジ孔３９に取り付けられる。４つのネジ９が基台３から外されているとき、溝部１１の全体がネジ９によって塞がれることなく開放されている。そのため、カバー部材４を、ガイド体５の長手方向Ｄ１における端面に開口する溝部１１の開口部に突出部４１を挿入することによって、ガイド体５の内部に挿入することができる。ガイド部材４のスライドによって突出部４１が長手方向Ｄ１に並ぶ一対のネジ孔３９を超えた後に、これらの一対のネジ孔３９にそれぞれネジ９が取り付けられる。取り付けられた２つのネジ９は、長手方向Ｄ１の両側において突出部４１の移動を制限するストッパとなる。そのため、長手方向Ｄ１におけるカバー部材４のスライド可能な範囲が制限される。このようにして、カバー部材４の基台３からの脱落を防止できる。
【００５２】
なお、分離壁３２と別体であって分離壁３２に取り付けられるストッパは、ネジ９の他に、ピン、リベット、ブロック状部材、および楔部材など、種々の形態を採用できる。
【００５３】
第１から第４実施形態のそれぞれに係る端子台１は、長手方向（第１方向）Ｄ１に並ぶ一対の接続端子２を少なくとも一組備える基台３と、基台３に対して長手方向Ｄ１にスライド可能に案内されるカバー部材４であって、長手方向Ｄ１に直交する上下方向（第２方向）Ｄ２において一対の接続端子２を覆うカバー部材４と、を備える。カバー部材４は、カバー本体４０と、カバー本体４０から長手方向Ｄ１と直交する方向に突出する突出部４１と、を備える。基台３は、長手方向Ｄ１の両側のそれぞれにおいて、一対の接続端子２のうち、カバー部材４がスライドされた側と反対の側に位置する接続端子２を露出できるように、突出部４１に当接することによってカバー部材４のスライド可能な範囲を制限するストッパ（ストッパ６、ネジ９）を備える。
【００５４】
かかる構成によれば、長手方向Ｄ１にスライド可能に案内されるカバー部材４が、ストッパ（ストッパ６、ネジ９）により、スライド可能な範囲を制限される。カバー部材４がスライド可能な範囲を超えてスライドできないので、カバー部材４が基台３から脱落しない。また、このスライド可能な範囲は、カバー部材４がスライドされた側と反対の側に位置する接続端子２を露出できるようになっている。そのため、本発明に係る端子台１は、カバー部材４をスライドさせて接続端子２を露出させながら、接続端子２が露出した状態ではカバー部材４が基台３から脱落することを防止できる。
【００５５】
第１から第４実施形態のそれぞれに係る端子台１において、突出部４１は、カバー本体４０から長手方向Ｄ１および上下方向Ｄ２に直交する幅方向（第３方向）Ｄ３に突出する。基台３は、カバー部材４を長手方向Ｄ１にスライド可能に案内するガイド体５であって、幅方向Ｄ３においてカバー本体４０または突出部４１に略当接する２つの第３方向規制面３５ａ、３７ａと、上下方向Ｄ２においてカバー本体４０または突出部４１に略当接する２つの第２方向規制面３５ｂ、３７ｂと、を有するガイド体５を備える。
【００５６】
かかる構成によれば、突出部４１がカバー本体４０から幅方向Ｄ３に突出するので、上下方向Ｄ２の両側のうちの接続端子２から遠い側については、カバー本体４に重ならないようにガイド体５を配置しても、カバー部材４を案内できる。つまり、カバー部材４を案内するために、カバー本体４０を上下方向Ｄ２において覆う必要がない。そのため、本発明に係る端子台１は、カバー部材４が開放されたときの開口面積がガイド体５によって減少させられることを防止できる。
【００５７】
第１から第３実施形態のそれぞれに係る端子台１において、ガイド体５は、突出部４１がストッパ６に当接する位置とは異なる位置において、突出部４１の上下方向Ｄ２への移動を許容する開口部７を備える。
【００５８】
かかる構成によれば、カバー部材４は、突出部４１がストッパ（ストッパ６、ネジ９）に当接する位置とは異なる位置において、開口部７に突出部４１を通すことにより上下方向Ｄ２に移動できる。そのため、本発明に係る端子台１は、突出部４１がストッパに当接した状態におけるカバー部材４の脱落を防止しながら、基台３へのカバー部材４の取り付けおよび取り外しを容易に行うことができる。
【００５９】
第１から第４実施形態のそれぞれに係る端子台１において、カバー部材４は、少なくとも一部に不透明部分（マスキング体４２、カバー本体４０）を有する。基台３は、カバー部材４が長手方向Ｄ１にスライドされることによってカバー部材４が開放された状態を示すための目印体８であって、カバー部材４が一対の接続端子２を覆っている状態でカバー部材４の不透明部分によって隠蔽され、一対の接続端子２のうちの少なくとも一方が露出された状態で露出される目印体８を備える。
【００６０】
かかる構成によれば、一対の接続端子２のうちの少なくとも一方を露出させようとカバー部材４をスライドさせると、目印体８が露出される。目印体８が露出されていれば、長手方向Ｄ１へのスライドによってカバー部材４が開放された状態にあることが、作業者に一目でわかる。したがって、本発明に係る端子台１は、カバー部材４の閉め忘れを防止するように作業者に注意喚起できる。
【００６１】
第１、第２、または第４実施形態に係る端子台１において、カバー部材４は、透明部分（カバー本体４０）を有する。
【００６２】
かかる構成によれば、カバー部材４が一対の接続端子２を覆っている状態であっても、作業者は、透明部分を介して接続端子を視認することができる。
【００６３】
なお、本発明の端子台は、上記実施形態に限定されるものではなく、本発明の要旨を逸脱しない範囲内において種々変更を加え得ることは勿論である。例えば、ある実施形態の構成に他の実施形態の構成を追加することができ、また、ある実施形態の構成の一部を他の実施形態の構成に置き換えることができる。さらに、ある実施形態の構成の一部を削除することができる。
【００６４】
第１から第４実施形態では、カバー部材４の突出部４１は、幅方向Ｄ３に突出し、ストッパ（６、９）は、突出部４１に当接可能となるように、カバー本体４０の幅方向Ｄ３における外側に配置される。本発明に係る突出部は、長手方向Ｄ１に直交する方向に突出すればよく、例えば、上下方向Ｄ２に突出してもよい。この場合、ストッパは、突出部に当接可能となるように、カバー本体の上下方向Ｄ２における外側に配置される。
【００６５】
第１から第４実施形態では、カバー部材４のスライド可能な範囲は、一対の接続端子２のうち、一方の接続端子２のみを露出可能とするように設定されている。本発明に係るスライド可能な範囲は、一対の接続端子２の両方を露出可能とするように設定されてもよい。この場合、例えば、突出部、ストッパ、および溝部が、第１方向（長手方向）の一方側および他方側のそれぞれに対応して設けられる。具体的には、カバー部材の第１方向の他方側の端部に一方用の突出部が設けられ、カバー部材の第１方向の一方側の端部に他方用の突出部が設けられる。ガイド体には、一方用の溝部と他方用の溝部とが、例えば第２方向（上下方向）において異なる位置に並列に設けられる。一方用のストッパが、一方用の溝部の第１方向の一方側の端部に配置され、他方用のストッパが、他方用の溝部の第１方向の他方側の端部に配置される。このような構成により、カバー部材は、一方用の突出部が、一方用の溝部の一方用のストッパに当接するまで、スライド可能である。一方用の突出部は、カバー部材の第１方向の他方側の端部に位置し、一方用のストッパは、溝部の第１方向の一方側の端部に位置しているので、一方用の突出部が一方用のストッパに当接するとき、カバー部材の大部分が基台３から外れている。そのため、一対の接続端子を露出させることができる。他方側へのスライドにおいても同様であり、カバー部材は、他方用の突出部が、他方用の溝部の他方用のストッパに当接するまで、スライド可能である。
【符号の説明】
【００６６】
１…端子台、２…接続端子、３…基台、４…カバー部材、５…ガイド体、６…ストッパ、７…開口部、８…目印体、９…ネジ、１０…溝部、１１…溝部、３１…支持板、３２…分離壁、３３…連結壁、３４…第１部分、３４ｂ…端面（第２方向規制面）、３５…第２部分、３５ａ…端面（第３方向規制面）、３５ｂ…端面（第２方向規制面）、３６…第３部分、３６ａ…端面、３７…第４部分、３７ａ…端面（第３方向規制面）、３７ｂ…端面（第２方向規制面）、３９…ネジ孔、４０…カバー本体、４１…突出部、４２…マスキング体、Ｄ１…長手方向（第１方向）、Ｄ２…上下方向（第２方向）、Ｄ３…幅方向（第３方向）、Ｐ１…位置、Ｐ２…位置
【図１】
0006628135.tif 000002
【図２】
0006628135.tif 000003
【図３】
0006628135.tif 000004
【図４】
0006628135.tif 000005
【図５】
0006628135.tif 000006
【図６】
0006628135.tif 000007
【図７】
0006628135.tif 000008
【図８】
0006628135.tif 000009
【図９】
0006628135.tif 000010
【図１０】
0006628135.tif 000011
【図１１】
0006628135.tif 000012
【図１２】
0006628135.tif 000013
【図１３】
0006628135.tif 000014
【図１４】
0006628135.tif 000015